(57)【要約】【課題】顔画像による照合精度を向上させる。【解決手段】顔画像検出部２０４は、入口カメラ４０により撮像された画像より、顔画像を検出する。方向制御部２４２は、撮像方向を変化させるように入口カメラ４０を制御する。ライブラリメモリ３４２は、顔画像の前記画像上における複数の基準位置を記憶する。基準位置選択部３４３は、複数の基準位置のうちのいずれかを選択する。移動量計算部２０５は、検出された顔画像の画像上の位置と、選択された基準位置とに基づいて、入口カメラ４０の撮像方向の移動量を計算する。コントローラ４３は、移動量計算部２０５により計算された移動量だけ入口カメラ４０の撮像方向を調整させるように方向制御部２４２に制御させる。本発明は、監視システムに適用することができる。【選択図】図２７
2009094870.tif 000002
【特許請求の範囲】
【請求項１】
画像を撮像する撮像手段と、
前記撮像手段により撮像された画像より、所定の対象物を検出する検出手段と、
撮像方向を変化させるように前記撮像手段を制御する制御手段と、
前記所定の対象物の前記画像上における複数の基準位置を記憶する記憶手段と、
前記複数の基準位置のうちのいずれかを選択する選択手段と、
前記検出手段により検出された前記所定の対象物の前記画像上の位置と、前記選択手段により選択された基準位置とに基づいて、前記撮像手段の撮像方向の移動量を計算する計算手段と、
前記計算手段により計算された移動量だけ前記撮像手段の撮像方向を調整させるように前記制御手段に制御させる調整手段と
を含む監視装置。
【請求項２】
前記検出手段は、前記撮像手段により撮像された画像より、前記ダミー人形の顔画像を前記所定の対象物として検出する
請求項１に記載の監視装置。
【請求項３】
前記基準位置は、適正な撮像方向に向けられた前記撮像手段により撮像された画像内の照合対象者となる人物の位置に設けられたダミー人形の顔画像の位置である
請求項２に記載の監視装置。
【請求項４】
前記検出手段は、前記撮像手段により撮像された画像より、前記所定のマーカを、前記所定の対象物として検出する
請求項１に記載の監視装置。
【請求項５】
前記基準位置は、適正な撮像方向に向けられた前記撮像手段により撮像された画像内の前記マーカの位置である
請求項４に記載の監視装置。
【請求項６】
前記蓄積者の顔画像を蓄積者データベースに蓄積する蓄積手段と、
前記撮像手段により撮像された画像より検出される照合対象者の顔画像を取得し、取得された照合対象者の顔画像と、前記蓄積手段に蓄積された蓄積者の顔画像との類似度を計算して、照合し、照合結果である類似度と所定の閾値との比較により、前記照合対象者の顔画像が前記蓄積者の顔画像であるか否かを判定し、前記照合対象者の顔画像が前記蓄積者の顔画像であると判定された場合、前記照合対象者が前記蓄積者であることを通知する照合手段とをさらに含む
請求項１に記載の監視装置。
【請求項７】
前記記憶手段は、前記所定の対象物の前記画像上における複数の基準位置を、前記基準位置を設定した日付に対応付けて記憶し、
前記選択手段は、前記複数の基準位置のうち、営業日の日付に対応する基準位置を選択する
請求項１に記載の監視装置。
【請求項８】
前記記憶手段に記憶された前記所定の対象物の前記画像上における複数の基準位置の指定を受け付ける受付手段をさらに含み、
前記選択手段は、前記複数の基準位置のうち、前記受付手段により受け付けられた指定の基準位置を選択する
請求項１に記載の監視装置。
【請求項９】
画像を撮像する撮像手段を含む監視装置の監視方法において、
前記撮像手段により撮像された画像より、所定の対象物を検出する検出ステップと、
撮像方向を変化させるように前記撮像手段を制御する制御ステップと、
前記所定の対象物の前記画像上における複数の基準位置を記憶する記憶ステップと、
前記複数の基準位置のうちのいずれかを選択する選択ステップと、
前記検出手段により検出された前記所定の対象物の前記画像上の位置と、前記選択ステップの処理で選択された基準位置とに基づいて、前記撮像手段の撮像方向の移動量を計算する計算ステップと、
前記計算ステップの処理により計算された移動量だけ前記撮像手段の撮像方向を調整させるように前記制御ステップの処理で制御させる調整ステップと
を含む監視方法。
【請求項１０】
画像を撮像する撮像手段を含む監視装置を制御するコンピュータに、
前記撮像手段により撮像された画像より、所定の対象物を検出する検出ステップと、
撮像方向を変化させるように前記撮像手段を制御する制御ステップと、
前記所定の対象物の前記画像上における複数の基準位置を記憶する記憶ステップと、
前記複数の基準位置のうちのいずれかを選択する選択ステップと、
前記検出手段により検出された前記所定の対象物の前記画像上の位置と、前記選択ステップの処理で選択された基準位置とに基づいて、前記撮像手段の撮像方向の移動量を計算する計算ステップと、
前記計算ステップの処理により計算された移動量だけ前記撮像手段の撮像方向を調整させるように前記制御ステップの処理で制御させる調整ステップと
を含む処理を実行させるプログラム。
【発明の詳細な説明】
【技術分野】
【０００１】
本発明は、監視装置および方法、並びにプログラムに関し、特に、人物の顔画像に基づいて、人物を監視する際、監視に使用される顔画像を適正な状態で撮像できるように容易に調整できるようにした監視装置および方法、並びにプログラムに関する。
【背景技術】
【０００２】
カメラにて取得した画像データから人物の顔画像を取得した後に予め登録された人物の顔画像と取得した顔画像との各々の特徴量を抽出して照合する顔画像を用いた人物照合技術が提案されている（特許文献１参照）。
【０００３】
【特許文献１】特開２００５−２２７９５７号公報
【発明の開示】
【発明が解決しようとする課題】
【０００４】
ところで、上述した人物認証技術において、設置されたカメラを調整する方法は設置者が調整対象となるカメラの画像をモニタ等の表示手段を使って最適位置を調整し、その後その調整値がずれたり狂ったりした場合は再度同様の調整をしなければならなかった。
【０００５】
しかしながら、この方法においては調整者の主観に頼るところが大きく、定量的な調整値がわからないという不便さがある。また、上記調整者と違う調整者が再調整を行う場合など、その別の調整者の主観に頼り、まったく違う調整が成される可能性があった。
【０００６】
また、カメラ設置後にカメラ位置ずれが発生した場合、本来であれば撮像された画像の中央部に対象となる人物の顔画像が撮像されるべきであるのに、カメラの撮像方向が上下左右にずれるなどして、画像内の端部に顔画像があり、顔画像の検出ができなくなったり、撮影すべき顔を捉えることができず、下半身または足等々のみが撮像されてしまい、顔画像そのものが検出できない状態となる恐れがあった。
【０００７】
このように、カメラの撮像方向を設置当初の状態に戻そうとしても、定量的な基準が無いため完全な状態にまで復帰することができないことがあった。
【０００８】
さらに、監視対象となる人物の動き、例えば、来店客の流れ（動線）の変化があった場合、その動きに合わせて再調整が必要となるが、上記の通りカメラ画像を覗き込みながら行うと、調整の度に撮像方向が一定せず、常に顔画像が検出できる画像が撮像できない恐れがあった。
【０００９】
本発明はこのような状況に鑑みてなされたものであり、顔画像による照合に必要な顔画像を含んだ適切な画像を撮像できるように容易で、かつ、正確にカメラを調整できるようにすることで、顔画像による照合精度を向上させるものである。
【課題を解決するための手段】
【００１０】
本発明の一側面の監視装置は、画像を撮像する撮像手段と、前記撮像手段により撮像された画像より、所定の対象物を検出する検出手段と、撮像方向を変化させるように前記撮像手段を制御する制御手段と、前記所定の対象物の前記画像上における複数の基準位置を記憶する記憶手段と、前記複数の基準位置のうちのいずれかを選択する選択手段と、前記検出手段により検出された前記所定の対象物の前記画像上の位置と、前記選択手段により選択された基準位置とに基づいて、前記撮像手段の撮像方向の移動量を計算する計算手段と、前記計算手段により計算された移動量だけ前記撮像手段の撮像方向を調整させるように前記制御手段に制御させる調整手段とを含む。
【００１１】
前記検出手段には、前記撮像手段により撮像された画像より、前記ダミー人形の顔画像を前記所定の対象物として検出させるようにすることができる。
【００１２】
前記基準位置は、適正な撮像方向に向けられた前記撮像手段により撮像された画像内の照合対象者となる人物の位置に設けられたダミー人形の顔画像の位置とすることができる。
【００１３】
前記検出手段には、前記撮像手段により撮像された画像より、前記所定のマーカを、前記所定の対象物として検出させるようにすることができる。
【００１４】
前記基準位置は、適正な撮像方向に向けられた前記撮像手段により撮像された画像内の前記マーカの位置とすることができる。
【００１５】
前記蓄積者の顔画像を蓄積者データベースに蓄積する蓄積手段と、前記撮像手段により撮像された画像より検出される照合対象者の顔画像を取得し、取得された照合対象者の顔画像と、前記蓄積手段に蓄積された蓄積者の顔画像との類似度を計算して、照合し、照合結果である類似度と所定の閾値との比較により、前記照合対象者の顔画像が前記蓄積者の顔画像であるか否かを判定し、前記照合対象者の顔画像が前記蓄積者の顔画像であると判定された場合、前記照合対象者が前記蓄積者であることを通知する照合手段とをさらに含ませるようにすることができる。
【００１６】
前記記憶手段には、前記所定の対象物の前記画像上における複数の基準位置を、前記基準位置を設定した日付に対応付けて記憶させ、前記選択手段には、前記複数の基準位置のうち、営業日の日付に対応する基準位置を選択させるようにすることができる。
【００１７】
前記記憶手段に記憶された前記所定の対象物の前記画像上における複数の基準位置の指定を受け付ける受付手段をさらに含ませるようにすることができ、前記選択手段には、前記複数の基準位置のうち、前記受付手段により受け付けられた指定の基準位置を選択させるようにすることができる。
【００１８】
本発明の一側面の監視方法は、画像を撮像する撮像手段を含む監視装置の監視方法であって、前記撮像手段により撮像された画像より、所定の対象物を検出する検出ステップと、撮像方向を変化させるように前記撮像手段を制御する制御ステップと、前記所定の対象物の前記画像上における複数の基準位置を記憶する記憶ステップと、前記複数の基準位置のうちのいずれかを選択する選択ステップと、前記検出手段により検出された前記所定の対象物の前記画像上の位置と、前記選択ステップの処理で選択された基準位置とに基づいて、前記撮像手段の撮像方向の移動量を計算する計算ステップと、前記計算ステップの処理により計算された移動量だけ前記撮像手段の撮像方向を調整させるように前記制御ステップの処理で制御させる調整ステップとを含む。
【００１９】
本発明の一側面のプログラムは、画像を撮像する撮像手段を含む監視装置を制御するコンピュータに、前記撮像手段により撮像された画像より、所定の対象物を検出する検出ステップと、撮像方向を変化させるように前記撮像手段を制御する制御ステップと、前記所定の対象物の前記画像上における複数の基準位置を記憶する記憶ステップと、前記複数の基準位置のうちのいずれかを選択する選択ステップと、前記検出手段により検出された前記所定の対象物の前記画像上の位置と、前記選択ステップの処理で選択された基準位置とに基づいて、前記撮像手段の撮像方向の移動量を計算する計算ステップと、前記計算ステップの処理により計算された移動量だけ前記撮像手段の撮像方向を調整させるように前記制御ステップの処理で制御させる調整ステップとを含む処理を実行させる。
【００２０】
本発明の一側面の監視装置および方法、並びにプログラムにおいては、画像が撮像され、撮像された画像より、所定の対象物が検出され、撮像方向が変化されるように制御され、前記所定の対象物の前記画像上における複数の基準位置が記憶され、前記複数の基準位置のうちのいずれかが選択され、検出された前記所定の対象物の前記画像上の位置と、選択された基準位置とに基づいて、撮像方向の移動量が計算され、計算された移動量だけ撮像方向が調整されるように制御される。
【００２１】
すなわち、本発明の一側面の監視装置における、画像を撮像する撮像手段とは、例えば、入口カメラであり、前記撮像手段により撮像された画像より、所定の対象物を検出する検出手段とは、例えば、顔画像検出部であり、撮像方向を変化させるように前記撮像手段を制御する制御手段とは、例えば、方向制御部であり、前記所定の対象物の前記画像上における複数の基準位置を記憶する記憶手段とは、例えば、ライブラリメモリであり、前記複数の基準位置のうちのいずれかを選択する選択手段とは、例えば、基準位置選択部であり、前記検出手段により検出された前記所定の対象物の前記画像上の位置と、前記選択手段により選択された基準位置とに基づいて、前記撮像手段の撮像方向の移動量を計算する計算手段とは、例えば、移動量計算部であり、前記計算手段により計算された移動量だけ前記撮像手段の撮像方向を調整させるように前記制御手段に制御させる調整手段とは、例えば、コントローラである。
【００２２】
すなわち、予め適正な照合対象者の位置に設定されたダミー人形の顔画像の複数の基準位置のいつのいずれかが選択されて、入口カメラにより撮像された画像における所定の対象物である照合対象者の顔画像の位置と、選択された基準位置とに基づいて、カメラの撮像方向の移動量が計算され、計算された移動量に基づいて、入口カメラの撮像方向が制御されることにより、入口カメラにより撮像される撮像方向が順次切り替えられても、選択された基準位置に対応する画像内の位置に顔画像が、適正に含まれるように調整されることになるので、照合対象者の顔画像を、蓄積された蓄積者の顔画像との照合に適した顔画像とすることが可能となり、結果として、顔画像による照合精度を向上させることが可能となる。
【発明の効果】
【００２３】
本発明によれば、照合に必要とされる顔画像を含んだ画像を適切に撮像できるように、容易で、かつ、正確に調整することが可能となり、顔画像による照合精度を向上させることが可能となる。
【発明を実施するための最良の形態】
【００２４】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２５】
すなわち、本発明の一側面の監視装置は、画像を撮像する撮像手段（例えば、図２７の入口カメラ４０）と、前記撮像手段により撮像された画像より、所定の対象物を検出する検出手段（例えば、図２７の顔画像検出部２０４）と、撮像方向を変化させるように前記撮像手段を制御する制御手段（例えば、図２７の方向制御部２４２）と、前記所定の対象物の前記画像上における複数の基準位置を記憶する記憶手段（例えば、図２７のライブラリメモリ３４２）と、前記複数の基準位置のうちのいずれかを選択する選択手段（例えば、図２７の基準位置選択部３４３）と、前記検出手段により検出された前記所定の対象物の前記画像上の位置と、前記選択手段により選択された基準位置とに基づいて、前記撮像手段の撮像方向の移動量を計算する計算手段（例えば、図２７の移動量計算部２０５）と、前記計算手段により計算された移動量だけ前記撮像手段の撮像方向を調整させるように前記制御手段に制御させる調整手段（例えば、図２７のコントローラ４３）とを含む。
【００２６】
前記検出手段（例えば、図２７の顔画像検出部２０４）には、前記撮像手段により撮像された画像より、前記ダミー人形の顔画像を前記所定の対象物として検出させるようにすることができる。
【００２７】
前記検出手段（例えば、図１５のマーカ検出部３０１）には、前記撮像手段により撮像された画像より、前記所定のマーカを、前記所定の対象物として検出させるようにすることができる。
【００２８】
前記蓄積者の顔画像を蓄積者データベースに蓄積する蓄積手段（例えば、図１の生体情報DB２２）と、前記撮像手段により撮像された画像より検出される照合対象者の顔画像を取得し、取得された照合対象者の顔画像と、前記蓄積手段に蓄積された蓄積者の顔画像との類似度を計算して、照合し、照合結果である類似度と所定の閾値との比較により、前記照合対象者の顔画像が前記蓄積者の顔画像であるか否かを判定し、前記照合対象者の顔画像が前記蓄積者の顔画像であると判定された場合、前記照合対象者が前記蓄積者であることを通知する照合手段（例えば、図１の生体情報認識装置２１）とをさらに含ませるようにすることができる。
【００２９】
前記記憶手段（例えば、図２７のライブラリメモリ３４２）には、前記所定の対象物の前記画像上における複数の基準位置を、前記基準位置を設定した日付に対応付けて記憶させ、前記選択手段（例えば、図２７の基準位置選択部３４３）には、前記複数の基準位置のうち、営業日の日付に対応する基準位置を選択させるようにすることができる。
【００３０】
前記記憶手段に記憶された前記所定の対象物の前記画像上における複数の基準位置の指定を受け付ける受付手段（例えば、図２７の操作部４４ａ）をさらに含ませるようにすることができ、前記選択手段（例えば、図２７の基準位置選択部３４３）には、前記複数の基準位置のうち、前記受付手段により受け付けられた指定の基準位置を選択させるようにすることができる。
【００３１】
本発明の一側面の監視方法は、画像を撮像する撮像手段を含む監視装置の監視方法であって、前記撮像手段により撮像された画像より、所定の対象物を検出する検出ステップ（例えば、図９のステップＳ２４）と、撮像方向を変化させるように前記撮像手段を制御する制御ステップ（例えば、図９のステップＳ３０）と、前記所定の対象物の前記画像上における複数の基準位置を記憶する記憶ステップ（例えば、図２８のステップＳ１６０）と、前記複数の基準位置のうちのいずれかを選択する選択ステップ（例えば、図３２のステップＳ１９６）と、前記検出手段により検出された前記所定の対象物の前記画像上の位置と、前記選択ステップの処理で選択された基準位置とに基づいて、前記撮像手段の撮像方向の移動量を計算する計算ステップ（例えば、図９のステップＳ２３）と、前記計算ステップの処理により計算された移動量だけ前記撮像手段の撮像方向を調整させるように前記制御ステップの処理で制御させる調整ステップとを含む。
【００３２】
図１は、本発明に係る遊技店の監視システムの一実施の形態の構成を示す図である。
【００３３】
遊技店１−１乃至１−ｎは、いわゆるパチンコ店、パチスロ店、または、カジノ店である。また、これらの遊技店１−１乃至１−ｎは、系列店舗または生体情報管理センタや第３者遊技店管理センタの加盟店であって、複数の店舗を統括的に管理する必要のある店舗である。各遊技店１−１乃至１−ｎは、生体情報管理バス６および第３者遊技店管理バス７により接続されており、それらのバスおよびインターネット等に代表される公衆通信回線網８，９を介して、相互にそれぞれ生体情報、および第３者遊技店管理情報を授受している。尚、以降において、遊技店１−１乃至１−ｎのそれぞれについて、特に区別する必要がない場合、単に、遊技店１と称するものとし、その他の構成についても同様に称するものとする。
【００３４】
生体情報管理バス６は、主に各遊技店１の生体情報認識装置２１により管理される生体情報を流通させるための伝送路として機能する。また、第３者遊技店管理バス７は、主に各遊技店１の媒体貸出管理装置２７により管理される媒体貸出管理情報を流通させるための伝送路として機能する。
【００３５】
生体情報管理センタ２は、生体情報管理センタを管理運営する事業者により使用されるサーバであり、生体情報管理データベース（以降、DBとも称するものとする）３で管理されている登録遊技者DBを各遊技店１により生成される未登録遊技者DBに基づいて更新すると供に、更新した最新の登録遊技者DBを各遊技店１の生体情報認識装置２１に対して配信する。
【００３６】
第３者遊技店管理センタ４は、第３者遊技店管理センタを管理運営する事業者により使用されるサーバであり、第３者遊技店管理データベース（DB）５で管理されている媒体貸出管理情報からなるDBを各遊技店１より供給されてくる情報に基づいて更新すると供に、更新した最新の媒体貸出管理情報を各遊技店１の媒体貸出管理装置２７に対して配信する。
【００３７】
生体情報認識装置２１は、カメラ３８−１乃至３８−ｍ、入口カメラ４０−１乃至４０−ｐ、および店内カメラ４１−１乃至４１−ｑにより撮像された画像より画像処理ユニット３９−１乃至３９−ｍ、および４２−１乃至４２−（ｐ＋ｑ）により抽出されて、生体情報バス３１を介して供給されてくる顔画像の情報に基づいて、生体情報データベース２２に予め登録されている顔画像と照合し、一致する場合、登録遊技者の来店を携帯端末２０に通知したり、CRT（Cathode Ray Tube）またはLCD（Liquid Crystal Display）などからなる表示部２３に表示する。また、生体情報データベース２２に予め登録されている顔画像と照合し、一致しない場合、生体情報認識装置２１は、生体情報管理データベース３にアクセスし、未登録者として未登録遊技者DBに登録する。
【００３８】
画像処理ユニット３９と画像処理ユニット４２とは、基本的に同様の機能を備えるが、画像処理ユニット４２−１乃至４２−（ｐ＋ｑ）は、さらに、それぞれコントローラ４３−１乃至４３−（ｐ＋ｑ）、および調整管理部４４と共に連携して、入口カメラ４０−１乃至４０−ｐおよび店内カメラ４１−１乃至４１−ｑの撮像方向を調整する。
【００３９】
遊技店管理装置２４は、いわゆるホールコンピュータと呼ばれるものであり、遊技店管理情報バス３０を介して遊技台３６−１乃至３６−ｍの動作を監視している。遊技店管理装置２４は、遊技台３６の出玉もしくはメダルの払い出しの情報、各遊技台３６−１乃至３６−ｍの遊技者の呼び出し情報、またはエラーの発生などの監視状況に応じて、所定の処理を実行し、実行結果をCRTやLCDなどからなる表示部２５に表示する。遊技店管理装置２４は、計数機３５、遊技台３６−１乃至３６−ｍ、および遊技台周辺端末３７−１乃至３７−ｍのそれぞれより供給されてくる情報を、それぞれを識別する識別情報（例えば、遊技台番号）とを対応付けて遊技台管理データベース２６により管理する。
【００４０】
媒体貸出管理装置２７は、精算販売機３３、および貸出機３４からの情報に基づいて、貸し出される遊技媒体の媒体貸出管理情報を媒体貸出管理データベース２９を用いて管理すると供に、媒体貸出管理データベース２９に登録されている媒体貸出管理情報を更新する際、その更新情報を、第３者遊技店管理バス７および公衆通信回線網９を介して第３者遊技店管理センタ４に送る。さらに、媒体貸出管理装置２７は、第３者遊技店管理バス７および公衆通信回線網９を介して第３者遊技店管理センタ４により供給されてくる媒体貸出管理情報を取得し、媒体貸出管理データベース２９に蓄積させる。
【００４１】
貸出機３４は、遊技者が遊技台３６で遊技する際、現金やプリペイドカードなどにより所定の金額を受け付けると、金額に応じた個数の遊技媒体を貸し出す。この際、貸出機３４は、受け付けた現金やプリペイドカードの残数などの情報と供に、貸し出した遊技媒体の個数の情報を媒体貸出管理装置２７に供給する。これにより、媒体貸出管理装置２７は、受け付けた現金やプリペイドカードの残数などの情報と供に、貸し出した遊技媒体の個数の情報を媒体貸出管理情報データベース２９に登録する。
【００４２】
精算販売機３３は、貸球を借りるための度数をつけてプリペイドカードを販売する。このとき、精算販売機３３は、販売したプリペイドカードの度数と払いうけた金額とを媒体貸出管理装置２７に供給する。また、精算販売機３３は、プリペイドカードなどの度数として貸し出した遊技媒体の残数に基づいて現金を精算して払い出す。このとき、精算販売機３３は、プリペイドカードの残数と払い戻した現金の金額を媒体貸出管理装置２７に供給する。
【００４３】
計数機３５は、遊技者が遊技台３６により遊技することにより獲得した遊技媒体の数を、計数し、計数結果を磁気カードやレシートなどとして出力する。
【００４４】
遊技台３６−１乃至３６−ｍは、遊技者により所定の操作がなされることにより、遊技を実行し、いわゆる小当たりや大当たりに応じて、遊技球、または、メダルを払い出す。
【００４５】
遊技台周辺端末３７−１乃至３７−ｍは、各遊技台３６−１乃至３６−ｍに対応して設けられている、いわゆる台間機であり、台間球貸機（原理的には、貸出機３４と同様のもの）などが設けられている。また、遊技台周辺端末３７は、遊技台３６を遊技する遊技者の顔画像などの生体情報を取得し、遊技台識別情報（遊技台番号）と共に生体情報認識装置２１に送信する。尚、図１においては、生体情報を取得する機能として、遊技者の顔画像を取得するカメラ３８−１乃至３８−ｍが設けられている例が示されている。
【００４６】
入口カメラ４０−１乃至４０−ｐおよび店内カメラ４１−１乃至４１−ｑは、遊技店１の店内における出入口および所定の場所に設置され、撮像した画像をそれぞれ画像処理ユニット４２−１乃至４２−（ｐ＋ｑ）に供給する。
【００４７】
入口カメラ４０−１乃至４０−ｐおよび店内カメラ４１−１乃至４１−ｑは、例えば、図２で示されるように設定される。図２は、遊技店１内の入口カメラ４０−１乃至４０−ｐおよび店内カメラ４１−１乃至４１−ｑの設置例を示している。
【００４８】
すなわち、図２においては、出入口１１２−１乃至１１２−３が設けられており、入口カメラ４０−１乃至４０−３は、それぞれの出入口１１２より入店してくる遊技者を撮像する。また、店内カメラ４１−１乃至４１−１０は、島設備１１１−１乃至１１１−５のそれぞれ両面をそれぞれ一列に渡って撮像できる位置に設定されている。島設備１１１は、両面に遊技台３６が設置されており、すなわち、図中の島設備１１１を上下方向に挟むように設置されている。入口カメラ４０および店内カメラ４１は、いずれにおいてもパンチルトズーム機能を備えているため、図２で示されるように、店内カメラ４１−１乃至４１−１０が配置されることにより、遊技台３６で遊技する全遊技者が、店内カメラ４１−１乃至４１−１０のいずれかで撮像できる。
【００４９】
さらに、店内カメラ４１−ａは、貸出機３４の前に設けられており、店内カメラ４１−ｂは、精算販売機３３の前に設けられており、店内カメラ４１−ｃは、計数機３５の前に設けられており、それぞれ、貸出機３４、精算販売機３３、および計数機３５を利用する遊技者を撮像することができる。
【００５０】
すなわち、図２で示されるように、遊技店１においては、来店する遊技者、遊技台３６で遊技する遊技者、並びに、貸出機３４、精算販売機３３、および計数機３５を利用する遊技者といった、遊技店１において遊技者が取るであろうことが想定される行動のほぼ全てを監視できるように、入口カメラ４０、および店内カメラ４１が設置されている。
【００５１】
調整管理部４４は、キーボードや操作ボタンからなる操作部４４ａ、およびLCD（Liquid Crystal Display）などからなる表示部４５を備えており、基準位置の登録処理や入口カメラ４０（または店内カメラ４１）の調整処理を実行する際、必要な情報を表示部４５に表示すると共に、使用者からの要求や決定事項を操作部４４ａの操作内容に応じて受け付け、画像処理ユニット４２に供給する。
【００５２】
次に、図３を参照して、入口カメラ４０（または店内カメラ４１）、画像処理ユニット４２、およびコントローラ４３の構成例について説明する。
【００５３】
入口カメラ４０（または店内カメラ４１）は、撮像部２４１、方向制御部２４２、および合焦制御部２４３を備えており、方向制御部２４２により制御された方向に対して、合焦制御部２４３により図示せぬレンズ機構などの合焦位置が調整され、図２で設置された状態で撮像可能な範囲を撮像部２４１が撮像し、撮像した画像を画像処理ユニット４２に供給する。方向制御部２４２は、コントローラ４３より供給されてくる調整量に基づいて、入口カメラ４０（または店内カメラ４１）の撮像方向（パンチルト）を制御する。
【００５４】
画像処理ユニット４２の画像取得部２０１は、入口カメラ４０（または店内カメラ４１）により撮像された画像を取得し、顔画像抽出部２０２、および顔画像検出部２０４に供給する。顔画像抽出部２０２は、画像取得部２０１より供給されてきた画像内に、顔を構成する部位の配置などのパターンにより顔画像からなる矩形画像を抽出して、送信部２０３、および顔画像検出部２０４に供給する。
【００５５】
送信部２０３は、顔画像を生体情報認識装置２１に送信する。これにより生体情報認識装置２１は、照合対象者の顔画像を取得し、取得された照合対象者の顔画像と、生体情報データベース２２に蓄積された蓄積者の顔画像との類似度を計算して、照合し、照合結果である類似度と所定の閾値との比較により、前記照合対象者の顔画像が蓄積者の顔画像であるか否かを判定し、照合対象者の顔画像が蓄積者の顔画像であると判定された場合、照合対象者が蓄積者であることを通知する。
【００５６】
顔画像検出部２０４は、顔画像抽出部２０２より顔画像が供給されてきたか否かに基づいて、顔画像の検出の有無を判定し、顔画像を検出した場合、検出結果と共に、検出された顔画像の画像取得部２０１より供給された画像内の位置を示す特定位置情報を移動量計算部２０５、登録部２０６、および調整管理部４４に供給する。ここで、特定位置情報とは、検出された顔画像の画像内における位置を特定する情報であり、例えば、検出された顔画像の中央位置の、画像内における座標情報である。
【００５７】
登録部２０６は、中央判定部２０６ａを備えており、基準位置登録処理において、中央判定部２０６ａを制御して、供給されてきた顔画像の特定位置情報に基づいて、検出された顔画像が画像の中央位置であるか、すなわち、生体情報認識装置２１における顔画像を用いた照合処理に適した画像が撮像されているか否かを判定させる。そして、検出された顔画像が画像の中央位置であると判定された場合、登録部２０６は、顔画像の位置を基準位置としてメモリ２０７に登録させる。また、登録部２０６は、モードの切り替えにより、調整管理部４４に供給された顔画像と基準位置との情報との関係が表示部４５に表示され、この表示画像に基づいて、使用者によりキーボードなどからなる操作部４４ａが操作されて選択された画像における顔画像の位置情報を基準位置としてメモリ２０７に登録する。
【００５８】
移動量計算部２０５は、水平方向移動量計算部２０５ａおよび垂直方向移動量計算部２０５ｂを備えており、それぞれを制御して、顔画像検出部２０４より供給されてきた顔画像の、撮像された画像上の位置情報と、メモリ２０７に記憶されている基準位置とのずれに基づいて、すなわち、入口カメラ４０（または店内カメラ４１）のパンおよびチルトの移動量を角度の情報として求め、コントローラ４３に供給する。
【００５９】
コントローラ４３は、方向移動部２２１を備えており、移動量の情報に基づいて、方向移動部２２１を制御して、入口カメラ４０（または店内カメラ４１）に移動量を調整量として供給し、調整量に応じた動作を指示する。
【００６０】
次に、図４のフローチャートを参照して、図３の画像処理ユニット４２による基準位置登録処理について説明する。尚、ここでは、基準位置の設定に際して、遊技店の出入口を撮像する入口カメラ４０を用いる場合について説明する。また、この際、出入口における照合対象となる人物の顔画像の撮像位置の基準としてダミー人形を用いる例について説明する。さらに、この処理においては、入口カメラ４０は、適正な撮像方向に設定されていることが前提となる。
【００６１】
ステップＳ１において、画像取得部２０１は、調整管理部４４より基準位置の登録が指示されたか否かを判定し、基準位置の登録が指示されるまで、同様の処理を繰り返す。例えば、操作部４４ａが使用者により操作されて、基準位置の登録が指示され、対応する信号が調整管理部４４より供給されてきた場合、ステップＳ２において、画像処理ユニット４２の画像取得部２０１は、入口カメラ４０の撮像部２４１により撮像された画像を取得し、顔画像抽出部２０２および顔画像検出部２０４に供給する。
【００６２】
ステップＳ３において、顔画像抽出部２０２は、供給された画像より遊技者の顔画像を抽出し、送信部２０３および顔画像検出部２０４に供給する。より具体的には、顔画像抽出部２０２は、例えば、撮像された画像の色などから肌が露出した部分であって、目や鼻といった特徴的な部位の配置などから顔画像を抽出して、送信部２０３および顔画像検出部２０４に供給する。
【００６３】
ステップＳ４において、顔画像検出部２０４は、顔画像抽出部２０２より顔画像が供給され、顔画像が検出されたか否かを判定する。例えば、顔画像が検出されてきていない場合、ステップＳ５において、顔画像検出部２０４は、調整管理部４４に対して、顔画像が、入口カメラ４０（または店内カメラ４１）に撮像されていないことを通知する。この通知に応じて、調整管理部４４は、表示部４５にダミー人形の位置を調整するように促す画像を表示し、処理は、ステップＳ２に戻る。したがって、入口カメラ４０により撮像される画像内にダミー人形の顔画像が検出されるまで、ステップＳ２乃至Ｓ５の処理が繰り返される。尚、ステップＳ５の処理においては、必要に応じて、入口カメラ４０（または店内カメラ４１）の撮像方向を調整するようにしても良い。
【００６４】
そして、ステップＳ４において、顔画像が検出されると、ステップＳ６において、顔画像検出部２０４は、検出できた顔画像の画像内における特定位置情報を登録部２０６に供給する。登録部２０６は、中央判定部２０６ａを制御して、特定位置情報が画像内における中央位置であるか否か、より詳細には、中央位置近傍の所定範囲内であるか否かを判定させる。ステップＳ６において、例えば、中央位置ではないと判定された場合、処理は、ステップＳ５に進み、ダミー人形の位置を、その顔画像が入口カメラ４０において撮像される画像の中央位置となるように調整されるまで、ステップＳ２乃至Ｓ６の処理が繰り返される。
【００６５】
このようなダミー人形の位置の調整によりステップＳ６において、検出された顔画像が、撮像された画像における中央位置であると判定された場合、ステップＳ７において、登録部２０６は、その顔画像が検出された位置を、基準位置としてメモリ２０７に記憶させ、この処理により、基準位置登録処理が終了する。
【００６６】
すなわち、通常、入口カメラ４０は、図５で示されるように、天井Ｔに対して設置され、照合対象者Ｈ１が遊技店の出入口Ｅを通過し、照合対象者Ｈ１’で示される位置において、図６で示されるように、中央位置より顔画像Ｆ１が抽出できる画像Ｐが撮像できることが望ましい。そこで、図７で示されるように、図５における照合対象者Ｈ１’に対応する位置にダミー人形Ｄ１を配置するように調整するよう促しながら、ステップＳ２乃至Ｓ６の処理を繰り返し、図８で示されるように、ダミー人形Ｄ１の顔画像Ｆ２が入口カメラ４０により撮像された画像の中央位置より検出できる状態となったところで、登録部２０６が、この顔画像Ｆ２の位置を、基準位置としてメモリ２０７に登録する。
【００６７】
尚、図５は、遊技店１の建物の天井Ｔに設置された入口カメラ４０により、照合対象者Ｈ１が、出入口Ｅより入店した位置の照合対象者Ｈ１’を撮像する例を示した図である。図６は、図５において適正な撮像方向に入口カメラ４０が設定された場合に撮像する画像Ｐを示しており、画像Ｐの中央位置より顔画像Ｆ１が抽出できることが示されている。図７は、ダミー人形Ｄ１を、遊技店１の建物の天井Ｔに設置された入口カメラ４０により出入口Ｅより入店した照合対象者Ｈ１’に対応する位置に配置し、入口カメラ４０により撮像する例を示した図である。図８は、図７において適正な撮像方向に入口カメラ４０が設定された場合に撮像する画像Ｐを示しており、画像Ｐの中央位置よりダミー人形Ｄ１の顔画像Ｆ２が抽出されることが示されている。
【００６８】
以上のような処理により、適正な撮像方向に設定された入口カメラ４０により撮像される画像内において、照合対象者の顔画像が検出される位置が基準位置としてメモリ２０７に登録される。
【００６９】
次に、図９のフローチャートを参照して、図３の入口カメラ４０の調整処理について説明する。尚、調整処理は、撮像される画像内の顔画像が検出される位置に基づいた基準位置がメモリ２０７に登録され、かつ、図７を参照して説明した適切な位置にダミー人形が配置されていることが前提となる。
【００７０】
ステップＳ２１において、画像取得部２０１は、調整管理部４４より調整処理が指示されたか否かを判定し、調整処理が指示されるまで、同様の処理を繰り返す。例えば、操作部４４ａが使用者により操作されて、調整処理が指示され、対応する信号が調整管理部４４より供給されてきた場合、ステップＳ２２において、画像処理ユニット４２の画像取得部２０１は、入口カメラ４０の撮像部２４１により撮像された画像を取得し、顔画像抽出部２０２および顔画像検出部２０４に供給する。
【００７１】
ステップＳ２３において、顔画像抽出部２０２は、供給された画像より遊技者の顔画像を抽出し、送信部２０３および顔画像検出部２０４に供給する。
【００７２】
ステップＳ２４において、顔画像検出部２０４は、顔画像抽出部２０２より顔画像が供給され、顔画像が検出されたか否かを判定する。例えば、顔画像が検出されてきていない場合、ステップＳ２５において、顔画像検出部２０４は、移動量計算部２０５に所定方向だけ撮像方向を変更させる所定の移動量をコントローラ４３に供給させる。コントローラ４３は、方向移動部２２１を制御して、所定の移動量を調整量として、撮像方向を変更させるように指示するように指令する。方向移動部２２１は、調整量と共に対応するように撮像方向を変更させるように指示する。これに応じて、入口カメラ４０の方向制御部２４２は、入口カメラ４０の撮像方向を調整量に応じた移動量だけ移動させ、処理は、ステップＳ２２に戻る。したがって、ステップＳ２４において、顔画像が検出されるまで、ステップＳ２２乃至Ｓ２５の処理が繰り返されて、入口カメラ４０の撮像方向が、所定の移動量毎に水平方向および垂直方向にパンチルト（移動）され続ける。
【００７３】
すなわち、基準位置登録処理が実行された後、経年変化などにより、入口カメラ４０の撮像方向が変化してしまい、例えば、図１０で示されるように、撮像方向が向かって右方向に移動（パン）して照合対象者Ｈ１’が画像Ｐ中の左側で切れていたり、図１１で示されるように、入口カメラ４０が、図中の矢印で示される下方向に移動（チルト）して、図１２で示されるように、照合対象者Ｈ１’の下半身部分しか撮像されていないような場合、顔画像が検出されないことになる。このような場合、図１１で示される照合対象者Ｈ１’と対応する位置にダミー人形Ｄ１を配置していても、図１０または図１２で示される画像Ｐと同様に、ダミー人形Ｄ１の顔画像も検出されないことになる。そこで、上述したように、顔画像が検出されるまで、ステップＳ２２乃至Ｓ２５の処理が繰り返されことにより、ダミー人形の顔画像が検出できる状態になるまで、入口カメラ４０の撮像方向を変化させ続ける。撮像方向の移動は、例えば、水平方向の可動範囲が１８０°で、垂直方向に１８０°である場合、今現在の位置から水平方向に１０°間隔で１８０°移動させ、それでも顔画像が検出されないとき、垂直方向に上方向または下方向のいずれかに１０°移動させて、再び水平方向に１０°間隔で１８０°移動させるといった処理を繰り返すようにしてもよい。
【００７４】
ステップＳ２４において、顔画像が検出できたと判定された場合、ステップＳ２６において、顔画像検出部２０４は、画像取得部２０１より供給されてきた画像と、顔画像抽出部２０２より供給されてきた顔画像から、入口カメラ４０により撮像された画像内における、抽出された顔画像の中心位置を求め、計算結果である顔画像の中心位置の情報を移動量計算部２０５に供給する。
【００７５】
ステップＳ２７において、移動量計算部２０５は、顔画像検出部２０４より供給されてくる顔画像の位置情報と、メモリ２０７に記憶されている基準位置との情報に基づいて、画像内におけるずれを求め、水平方向移動量計算部２０５ａおよび垂直方向移動量計算部２０５ｂを制御して、そのずれの情報からそれぞれ入口カメラの水平方向の移動量（パンの角度）、および、垂直方向の移動量（チルトの角度）を計算させる。より詳細には、画像内の画素単位のずれ幅と水平方向および垂直方向の回転角度との関係は、例えば、水平方向であれば、撮像される画像中の基準位置が、画像内の左端部の位置になるまで右方向に入口カメラ４０を回転させた後、基準位置が画像内の右端部の位置になるまで左方向に回転させたときの左回転角度を求め、画像の水平方向の画素数で割ることにより、画素単位での水平方向の回転角度を求めることができるので、この単位画素当たりの回転角度を、画像におけるずれ幅だけ乗じることで、水平方向の移動量を求めることができる。同様にして、垂直方向の画素単位あたりの回転角度を求めることもできる。
【００７６】
例えば、水平方向の単位画素当たりの回転角度がθｈ／画素であり、垂直方向の単位画素当たりの回転角度がθｖ／画素である場合、入口カメラ４０により撮像される画像が、図１３で示される画像Ｐのとき、ダミー人形Ｄ１の顔画像Ｆ２は、基準位置から図中左方向にＺｈ画素だけずれている。このとき、水平方向移動量計算部２０５ａは、θｈ／画素×Ｚｈを求めることにより、水平方向の移動量をθｈ×Ｚｈとして求める。このとき、垂直方向のずれは０であり、ずれが生じていないことになるので、垂直方向移動量計算部２０５ｂは、移動量として０を求める。
【００７７】
同様にして、入口カメラ４０により撮像される画像が、図１４で示される画像Ｐのとき、ダミー人形Ｄ１の顔画像Ｆ２は、基準位置から図中下方向にＺｖ画素だけずれている。このとき、垂直方向移動量計算部２０５ｂは、θｖ／画素×Ｚｖを求めることにより、垂直方向の移動量をθｖ×Ｚｖとして求める。このとき、水平方向のずれは０であり、ずれが生じていないことになるので、水平方向移動量計算部２０５ａは、移動量として０を求める。
【００７８】
当然のことながら、水平方向、および垂直方向のいずれにもずれがあれば、水平方向移動量計算部２０５ａおよび垂直方向移動量計算部２０５ｂは、それぞれに水平方向移動量および垂直方向移動量を計算する。
【００７９】
ステップＳ２８において、移動量計算部２０５は、水平方向移動量計算部２０５ａおよび垂直方向移動量計算部２０５ｂにより計算された水平方向移動量および垂直方向移動量を調整管理部４４に供給する。調整管理部４４は、計算された水平方向移動量および垂直方向移動量を表示部４５に表示する。
【００８０】
ステップＳ２９において、移動量計算部２０５は、水平方向移動量および垂直方向移動量がいずれも０（ゼロ）であり、移動量が０であったか否かを判定する。ステップＳ２９において、移動量が０（ゼロ）ではないと判定された場合、ステップＳ３０において、移動量計算部２０５は、移動量を入口カメラ４０の撮像方向を調整する調整量としてコントローラ４３に供給する。コントローラ４３は、方向移動部２２１を制御して、供給されてくる調整量に基づいて入口カメラ４０の撮像方向を調整させるように指示する。方向移動部２２１は、入口カメラ４０に対して調整量と共に、調整量に対応する回転角度だけ調整する指示を供給する。入口カメラ４０の方向制御部２４２は、コントローラ４３からの調整量に対応する回転角度だけ、撮像方向を水平方向および垂直方向に回転させることにより調整し、処理は、ステップＳ２２に戻る。
【００８１】
すなわち、ステップＳ２９において、移動量が０（ゼロ）であると判定されるまで、ステップＳ２２乃至Ｓ３０の処理が繰り返されて、入口カメラ４０の撮像方向が調整される。そして、ステップＳ２９において、移動量が０（ゼロ）であると判定された場合、処理は終了する。
【００８２】
以上の処理により、入口カメラ４０により撮像される画像の中央位置、すなわち、基準位置より、ダミー人形の顔画像が検出されるように入口カメラ４０の撮像方向が調整されるので、照合対象者の顔画像を抽出できる適切な画像を撮像できる撮像方向に、容易で、かつ、正確に調整することが可能となり、結果として、生体情報認識装置２１での顔画像による照合処理の照合精度を向上させることが可能となる。
【００８３】
以上においては、ダミー人形を用いて、入口カメラ４０により撮像される画像内に顔画像を検出する基準位置を設定し、調整処理において、この基準位置と画像内において検出される顔画像の位置とのずれから、撮像方向を調整する例について説明してきたが、基準位置は、入口カメラ４０により撮像される移動しないものであればよいので、ダミー人形でなくても良く、例えば、入口カメラ４０において撮像される画像内に存在する出入口に貼り付けたマーカなどを用いて基準位置を設定するようにしても良い。
【００８４】
図１５は、入口カメラ４０において撮像される画像内に存在する出入口に貼り付けたマーカにより基準位置を設定し、入口カメラ４０の撮像方向を調整する画像処理ユニット４２の構成例を示している。尚、図１５の画像処理ユニット４２においては、図３の画像処理ユニット４２における構成と同様の構成については、同一の符号を付しており、その説明は適宜省略する。図１５における画像処理ユニット４２において、図３の画像処理ユニット４２と異なるのは、顔画像検出部２０４、および登録部２０６に代えて、マーカ検出部３０１、および登録部３０２が設けられている点である。また、顔画像抽出部２０２は、画像取得部２０１より供給されてきた画像より顔画像を抽出すると、送信部２０３にのみ供給する。
【００８５】
マーカ検出部３０１は、画像取得部２０１より供給されてくる入口カメラ４０により撮像された画像内より所定の形状、または、所定の輝度若しくは色などからなるマーカを検出して、検出結果、および、その位置情報とを移動量計算部２０５、登録部３０２、および調整管理部４４に供給する。このとき、調整管理部４４は、対応するマーカの検出位置の情報を表示部４５に表示し、いずれのマーカを基準位置として登録するかの選択を操作部４４ａの操作内容に応じて受け付け、受け付けた内容に応じて、選択されたマーカを示す選択情報を登録部３０２に供給する。
【００８６】
登録部３０２は、基準位置登録処理において、マーカ検出部３０１より供給されてくるマーカの検出結果を取得すると、マーカ選択部３０２ａを制御して、調整管理部４４より供給されてくる選択情報を取得させると共に、仮登録部３０２ｂを制御して、取得された選択情報に対応するマーカの位置情報を、基準位置として仮登録する。さらに、仮登録された基準位置を登録する指示が供給されてくると、登録部３０２は、選択されたマーカの位置情報を、基準位置としてメモリ２０７に登録する。
【００８７】
次に、図１６のフローチャートを参照して、図１５の画像処理ユニット４２による基準位置登録処理について説明する。尚、ここでは、基準位置の設定に際して、遊技店の出入口を撮像する入口カメラ４０を用いる場合について説明する。また、この際、出入口における照合対象となる人物の顔画像が検出可能な画像中の基準としてマーカを用いる例について説明する。さらに、この処理においては、入口カメラ４０は、適正な撮像方向に設定されていることが前提となる。
【００８８】
ステップＳ４１において、画像取得部２０１は、調整管理部４４より基準位置の登録が指示されたか否かを判定し、基準位置の登録が指示されるまで、同様の処理を繰り返す。例えば、操作部４４ａが使用者により操作されて、基準位置の登録が指示され、対応する信号が調整管理部４４より供給されてきた場合、ステップＳ４２において、画像処理ユニット４２の画像取得部２０１は、入口カメラ４０により撮像された画像を取得し、顔画像抽出部２０２およびマーカ検出部３０１に供給する。
【００８９】
ステップＳ４３において、マーカ検出部３０１は、供給された画像より、画像内に映し出される情報からマーカを検出し、検出したマーカの情報を検出結果として調整管理部４４、および登録部３０２に供給する。より具体的には、マーカ検出部３０１は、例えば、撮像された画像に含まれる形状、輝度、または色などの特徴情報により、マーカを検索し、対応する特徴情報の画像部分をマーカとして検出し、マーカが検出された位置情報を調整管理部４４、および登録部３０２に供給する。
【００９０】
ステップＳ４４において、調整管理部４４は、供給されてきたマーカの位置情報に基づいて、マーカの選択を促すような画像を表示部４５に表示する。マーカは、入口カメラ４０により撮像された画像内で他の被写体と識別できる形状、輝度、または色などを備えたものであれば良く、例えば、図１７，図１８で示されるように、入口カメラ４０により撮像される範囲の出入口Ｅの扉に貼り付けられるマーカＭ１−１，Ｍ１−２，Ｍ２−１，Ｍ２−２のようなものである。図１８では、マーカＭ１−１，Ｍ１−２，Ｍ２−１，Ｍ２−２は、略円形状のものであり、左右に開く扉の端部にそれぞれマーカＭ１−１，Ｍ２−１およびＭ１−２，Ｍ２−２が貼り付けられた例が示されている。図１８においては、形状によりマーカであると認識できる例について示されているが、例えば、特定の波長の光を発するようにして、マーカとして識別できるようにしても良い。また、図１８においては
、左右の扉ごとにマーカＭ１−１，Ｍ２−１およびＭ１−２，Ｍ２−２が表示されているが、図１７においては、左右の扉のマーカを区別せず、上下にのみ区別した表記として、マーカＭ１，Ｍ２のみが表示されている。したがって、図１７においては、マーカＭ１は、図１８におけるマーカＭ１−１，Ｍ１−２を、マーカＭ２は、図１８におけるマーカＭ２−１，Ｍ２−２を表している。
【００９１】
図１８で示されるような画像が撮像された場合、調整管理部４４は、表示部４５に図１８と同様な画像を表示して、マーカとして認識された部位であるマーカＭ１−１，Ｍ１−２，Ｍ２−１，Ｍ２−２を点滅させるなどして、いずれかを基準位置として選択するように促すコメントなどを表示させる。
【００９２】
ステップＳ４５において、登録部３０２は、マーカ選択部３０２ａを制御して、調整管理部４４よりマーカを選択する情報の有無に基づいて、マーカが選択されたか否かを判定し、選択されるまで、同様の処理を繰り返す。ステップＳ４５において、例えば、操作部４４ａが操作されて、図１８で示されるように、マーカＭ１−２，Ｍ２−２が選択された場合、調整管理部４４は、基準位置として選択されたことを示す選択ポインタＢ１，Ｂ２を表示すると共に、選択ポインタＢ１，Ｂ２の位置情報を登録部３０２に供給する。これにより、マーカ選択部３０２ａは、マーカが選択されたものとみなし、処理は、ステップＳ４６に進む。
【００９３】
ステップＳ４６において、登録部３０２は、仮登録部３０２ｂを制御して、選択されたマーカの位置情報である、選択ポインタＢ１，Ｂ２の位置情報を基準位置として仮登録する（一時的に記憶する）。このとき、調整管理部４４は、選択したマーカを基準位置として最終的に決定するか否かを問合せる画面を表示部４５に表示する。
【００９４】
ステップＳ４７において、登録部３０２は、仮登録された選択ポインタが、基準位置として最終的に決定されたか否かを判定する。例えば、操作部４４ａが操作されて、基準位置として登録しないことを示す情報が入力された場合、調整管理部４４は、その旨を登録部３０２に通知する。この結果、ステップＳ４８において、登録部３０２は、仮登録部３０２ｂを制御して、仮登録していた基準位置を削除し（記憶を消去し）、処理は、ステップＳ４２に戻る。
【００９５】
すなわち、検出されたマーカを表示し、そのいずれかが選択ポインタとして選択されて、仮登録された後、選択ポインタＢ１，Ｂ２が、最終的に基準位置として決定されるまで、ステップＳ４２乃至Ｓ４８の処理が繰り返される。そして、ステップＳ４８において、操作部４４ａが操作されて、選択された選択ポインタを基準位置として登録することが指示された場合、ステップＳ４９において、調整管理部４４は、その旨を登録部３０２に通知する。登録部３０２は、登録の指示に基づいて、仮登録部３０２ｂを制御して、仮登録されている選択ポインタの位置情報を基準位置としてメモリ２０７に登録する。
【００９６】
以上のような処理により、適正な撮像方向に設定された入口カメラ４０により撮像される画像内において、照合対象者の顔画像が検出されうるマーカの位置が基準位置としてメモリ２０７に登録される。
【００９７】
次に、図１９のフローチャートを参照して、図１５の入口カメラ４０の調整処理について説明する。尚、調整処理は、撮像される画像内のマーカが検出される位置に基づいた基準位置がメモリ２０７に登録され、かつ、図１８を参照して説明した適切な位置にマーカが配置されていることが前提となる。また、図１９のフローチャートにおいて、ステップＳ６９乃至Ｓ７２の処理については、図９のフローチャートを参照して説明したステップＳ２７乃至Ｓ３０の処理と同様であるので、その説明は省略する。
【００９８】
ステップＳ６１において、画像取得部２０１は、調整管理部４４より調整処理が指示されたか否かを判定し、調整処理が指示されるまで、同様の処理を繰り返す。例えば、操作部４４ａが使用者により操作されて、調整処理が指示され、対応する信号が調整管理部４４より供給されてきた場合、ステップＳ６２において、画像処理ユニット４２の画像取得部２０１は、入口カメラ４０の撮像部２４１により撮像された画像を取得し、顔画像抽出部２０２およびマーカ検出部３０１に供給する。
【００９９】
ステップＳ６３において、マーカ検出部３０１は、供給された画像より特徴的な形状、輝度、または、色などの情報に基づいてマーカを検出する。
【０１００】
ステップＳ６４において、マーカ検出部３０１は、マーカが検出されたか否かを判定する。ステップＳ６４において、例えば、マーカが検出されなかった場合、ステップＳ６５において、マーカ検出部３０１は、移動量計算部２０５にその旨を通知する。移動量計算部２０５は、所定方向だけ撮像方向を変更させる所定の移動量をコントローラ４３に供給する。コントローラ４３は、方向移動部２２１を制御して、所定の移動量を調整量として、撮像方向を変更させるように指示するように指令する。方向移動部２２１は、調整量に対応するように撮像方向を変更させるように指示する。これに応じて、入口カメラ４０の方向制御部２４２は、入口カメラ４０の撮像方向を調整量に応じた移動量だけ移動させ、処理は、ステップＳ６２に戻る。したがって、ステップＳ６４において、マーカが検出されるまで、ステップＳ６２乃至Ｓ６５の処理が繰り返されて、入口カメラ４０の撮像方向が、所定の移動量毎に水平方向および垂直方向にパンチルト（移動）され続ける。
【０１０１】
ステップＳ６４において、マーカが検出できたと判定された場合、ステップＳ６６において、マーカ検出部３０１は、マーカが検出できたことを示す判定結果と、マーカとして検出された位置情報を移動量計算部２０５、および、調整管理部４４に供給する。調整管理部４４は、このマーカの位置情報に基づいて、撮像された画像と検出されたマーカの情報を表示部４５に表示し、基準位置として使用するマーカの選択を促すコメントを表示する。
【０１０２】
ステップＳ６７において、調整管理部４４は、マーカを選択する情報の有無に基づいて、マーカが選択されたか否かを判定し、選択されるまで、同様の処理を繰り返す。すなわち、例えば、図２０で示されるように、経年劣化などにより、入口カメラ４０が基準位置を設定した状態から矢印方向に回転し（下向きにチルトし）、入口カメラ４０により撮像される画像が、図２１で示されるような画像Ｐである場合、マーカＭ２−１，Ｍ２−２のみが画像内に含まれ、マーカＭ１−１，Ｍ１−２が画像内に含まれないことになる。この状態において、操作部４４ａが操作されて、例えば、マーカＭ２−２が基準位置として選択されると、ステップＳ６８において、調整管理部４４は、基準位置として選択されたことを示す選択ポインタＢ２’の画像内における位置を、マーカが検出された位置情報として計算し、計算結果であるマーカの位置情報（マーカの中心位置情報）を移動量計算部２０５に供給する。
【０１０３】
ステップＳ６９において、移動量計算部２０５は、調整管理部４４より供給されてくる画像内のマーカの位置情報と、メモリ２０７に記憶されている基準位置との情報に基づいて、画像内におけるずれを求め、水平方向移動量計算部２０５ａおよび垂直方向移動量計算部２０５ｂを制御して、そのずれの情報からそれぞれ入口カメラの水平方向の移動量（パンの角度）、および、垂直方向の移動量（チルトの角度）を計算させる。
【０１０４】
例えば、水平方向の単位画素当たりの回転角度がθｈ／画素であり、垂直方向の単位画素当たりの回転角度がθｖ／画素である場合、入口カメラ４０により撮像される画像が、図２１で示される画像Ｐのとき、選択されたマーカに対応する選択ポインタＢ２’は、基準位置である選択ポインタＢ２から図中上方向にＺｖ’画素だけずれている。このとき、垂直方向移動量計算部２０５ｂは、θｖ／画素×Ｚｖ’を求めることにより、垂直方向移動量をθｖ×Ｚｖ’として求める。このとき、水平方向のずれは０であり、ずれが生じていないことになるので、水平方向移動量計算部２０５ａは、水平方向移動量として０を求める。
【０１０５】
ステップＳ７０において、移動量計算部２０５は、水平方向移動量計算部２０５ａおよび垂直方向移動量計算部２０５ｂにより計算された水平方向移動量および垂直方向移動量を調整管理部４４に供給する。調整管理部４４は、計算された水平方向移動量および垂直方向移動量を表示部４５に表示する。
【０１０６】
ステップＳ７１において、移動量計算部２０５は、水平方向移動量および垂直方向移動量がいずれも０（ゼロ）であり、移動量が０であったか否かを判定する。ステップＳ７１において、移動量が０（ゼロ）ではないと判定された場合、ステップＳ７２において、移動量計算部２０５は、移動量を入口カメラ４０の撮像方向を調整する調整量としてコントローラ４３に供給する。コントローラ４３は、方向移動部２２１を制御して、供給されてくる調整量に基づいて入口カメラ４０の撮像方向を調整させるように指示する。方向移動部２２１は、入口カメラ４０に対して調整量と共に、調整量に対応する回転角度だけ調整する指示を供給する。入口カメラ４０の方向制御部２４２は、コントローラ４３からの調整量に対応する回転角度だけ、撮像方向を水平方向および垂直方向に回転させることにより調整し、処理は、ステップＳ６２に戻る。
【０１０７】
すなわち、ステップＳ７１において、移動量が０（ゼロ）であると判定されるまで、ステップＳ６２乃至Ｓ７２の処理が繰り返されて、入口カメラ４０の撮像方向が調整される。そして、ステップＳ７１において、移動量が０（ゼロ）であると判定された場合、処理は終了する。
【０１０８】
以上の処理により、入口カメラ４０により照合対象者の顔画像が適正に撮像できる画像内のマーカの位置のうち、選択ポインタとして選択されたマーカの位置を基準位置とすることにより、マーカが基準位置で検出されるように入口カメラ４０の撮像方向が調整されるので、照合対象者の顔画像を抽出できる適切な画像を撮像できる撮像方向に容易で、かつ、正確に調整することが可能となり、結果として、生体情報認識装置２１での顔画像による照合処理の照合精度を向上させることが可能となる。
【０１０９】
以上においては、ダミー人形、またはマーカを人為的に設定し、入口カメラ４０により撮像される画像内に顔画像、または、マーカを検出する基準位置を設定し、調整処理において、この基準位置と画像内において検出される顔画像またはマーカの位置とのずれから、撮像方向を調整する例について説明してきたが、基準位置は、入口カメラ４０により撮像される移動しないものであればよいので、人為的に設定されるダミー人形やマーカでなくても良く、例えば、入口カメラ４０において撮像される画像をエッジ探索処理した画像における特定部分などを、マーカとして用いて基準位置を設定するようにしても良い。
【０１１０】
図２２は、入口カメラ４０において撮像される画像をエッジ探索処理した画像における特定部分をマーカとして用いることにより基準位置を設定し、入口カメラ４０の撮像方向を調整する画像処理ユニット４２の構成例を示している。尚、図２２の画像処理ユニット４２においては、図２２の画像処理ユニット４２における構成と同様の構成については、同一の符号を付しており、その説明は適宜省略する。図２２における画像処理ユニット４２において、図１５の画像処理ユニット４２と異なるのは、マーカ検出部３０１に代えて、マーカ検出部３２１が設けられている点である。
【０１１１】
マーカ検出部３２１は、エッジ探索部３２１ａを備えており、画像取得部２０１より供給されてくる画像に対して、エッジ探索部３２１ａを制御して、例えば、ラプラシアンフィルタなどのフィルタ処理によりエッジ探索処理を実行させ、求められたエッジ探索画像である線画における２直線の略垂直交差部分近傍をマーカとして検出する。
【０１１２】
次に、図２３のフローチャートを参照して、図２２の画像処理ユニット４２による基準位置登録処理について説明する。尚、ここでは、基準位置の設定に際して、遊技店の出入口を撮像する入口カメラ４０を用いる場合について説明する。また、この際、出入口における照合対象となる人物の顔画像が検出可能な画像中の基準としてエッジ探索処理により得られた線画における特定部分として直線略垂直交差部分の近傍範囲をマーカとして用いる例について説明する。さらに、この処理においては、入口カメラ４０は、適正な撮像方向に設定されていることが前提となる。また、図２３のフローチャートにおけるステップＳ９７乃至Ｓ１０２の処理は、図１６のフローチャートを参照して説明したステップＳ４４乃至Ｓ４９の処理と同様であるので、その説明は省略する。
【０１１３】
すなわち、ステップＳ９１において、画像取得部２０１は、調整管理部４４より基準位置の登録が指示されたか否かを判定し、基準位置の登録が指示されるまで、同様の処理を繰り返す。例えば、操作部４４ａが使用者により操作されて、基準位置の登録が指示され、対応する信号が調整管理部４４より供給されてきた場合、ステップＳ９２において、画像処理ユニット４２の画像取得部２０１は、入口カメラ４０により撮像された画像を取得し、顔画像抽出部２０２およびマーカ検出部３２１に供給する。
【０１１４】
ステップＳ９３において、マーカ検出部３２１は、エッジ探索部３２１ａを制御し、供給されてきた画像を、例えば、ラプラシアンフィルタなどによりエッジ強調処理が可能なフィルタ処理を行ない、エッジ探索画像を生成する。
【０１１５】
ステップＳ９４において、マーカ検出部３２１は、エッジ探索画像からマーカを検出する。より詳細には、マーカ検出部３２１は、例えば、エッジ探索画像に含まれる２直線の略垂直交差部分の領域をマーカとして検出する。
【０１１６】
ステップＳ９５において、マーカ検出部３２１は、エッジ探索処理された画像に含まれるエッジの略垂直交差部分の近傍範囲をマーカとして検出できたか否かを判定する。そして、ステップＳ９５において、エッジ探索処理された画像よりマーカが検出された場合、ステップＳ９７以降の処理が実行される。
【０１１７】
すなわち、例えば、入口カメラ４０により、図２４で示されるような画像Ｐが撮像された場合、エッジ探索により画像Ｐは線画とされることになる。この結果、画像Ｐにおいては、画像内の扉の合わせ目や、扉に貼り付けられたシールＣ１，Ｃ２の４つの角が、２直線の略垂直交差部分であるので、マーカとして検出されることになる。検出されたマーカのうち、操作部４４ａが操作されることにより、扉の合わせ目、シールＣ１の右上の角、およびシールＣ２の左上の角のマーカが選択されると、図２４で示されるように、選択されたマーカが選択ポインタＢ１１−１乃至Ｂ１１−３として設定され、選択ポインタＢ１１−１乃至Ｂ１１−３の位置（２直線の略垂直交差部分の位置）が、基準位置としてメモリ２０７に登録される。
【０１１８】
一方、ステップＳ９５において、マーカが検出できない、すなわち、エッジ探索された画像中に略垂直交差部分がなく、マーカとして認識できる領域が検出されなかった場合、ステップＳ９６において、マーカ検出部３２１は、マーカが検出できなかったことを調整管理部４４に通知する。この通知に応じて、調整管理部４４は、マーカとして認識できるような物体を人為的に設置するように促す画面を表示部４５に表示し、処理は、ステップＳ９２に戻る。すなわち、マーカとして認識できる画像が得られない場合にのみ、エッジ探索された画像中に略垂直交差部分が発生するような部位を備えたマーカを人為的に設定させるように要求する。
【０１１９】
以上のような処理により、エッジ探索された線画からなる画像内にマーカとして認識できるような特定部分（上述した２直線の略垂直交差部分など）が見出せるような場合、人為的にダミー人形やマーカを設定することなく、適正な撮像方向に設定された入口カメラ４０により撮像される画像内において、照合対象者の顔画像が検出されうる基準位置をメモリ２０７に登録させるようにすることが可能となる。
【０１２０】
次に、図２５のフローチャートを参照して、図２２の入口カメラ４０の調整処理について説明する。尚、調整処理は、撮像される画像がエッジ探索され、エッジ探索処理された画像内のマーカとして認識できる特定部分の位置に基づいた基準位置がメモリ２０７に登録されていることが前提となる。また、図２５のフローチャートにおいて、ステップＳ１２３，Ｓ１２４の処理を除いては、図１９のフローチャートを参照して説明したステップＳ６１乃至Ｓ７２の処理と同様であるので、その説明は省略する。
【０１２１】
すなわち、図２５においては、ステップＳ１２３において、マーカ検出部３２１は、エッジ探索部３２１ａを制御し、供給されてきた画像を、例えば、ラプラシアンフィルタなどによりエッジを強調するフィルタ処理を行ないエッジ探索画像を生成する。
【０１２２】
ステップＳ１２４において、マーカ検出部３２１は、エッジ探索処理された画像からマーカを検出する。より詳細には、マーカ検出部３２１は、例えば、エッジ探索処理された画像に含まれるエッジの２直線の略垂直交差部分の領域をマーカとして検出する。
【０１２３】
入口カメラ４０により撮像された画像が、例えば、図２６で示される画像Ｐの場合、このようにして得られたマーカのうち、選択ポインタＢ１１’−１乃至Ｂ１１’−３が選択されると移動量計算部２０５は、メモリ２０７に登録されている基準位置との比較により移動量を計算する。
【０１２４】
例えば、水平方向の単位画素当たりの回転角度がθｈ／画素であり、垂直方向の単位画素当たりの回転角度がθｖ／画素である場合、入口カメラ４０により撮像される画像が、図２４で示される画像Ｐのとき、選択ポインタＢ１１’−１に着目すれば、基準位置である選択ポインタＢ１１−１から図中左方向にＺｈ’画素だけずれている（その他の選択ポインタについても同様のずれが生じる）。このとき、水平方向移動量計算部２０５ａは、θｈ／画素×Ｚｈ’を求めることにより、水平方向移動量をθｈ×Ｚｈ’として求める。このとき、垂直方向のずれは０であり、ずれが生じていないことになるので、垂直方向移動量計算部２０５ｂは、垂直方向移動量として０を求める。
【０１２５】
以上の処理により、エッジ探索された線画からなる画像内にマーカとして認識できるような特定部分が見出せるような場合、人為的にダミー人形やマーカを設定することなく、入口カメラ４０により照合対象者の顔画像が適正に撮像できる画像内のマーカの位置のうち、選択ポインタとして選択されたマーカの位置を基準位置とすることにより、マーカが基準位置で検出されるように入口カメラ４０の撮像方向が調整されるので、照合対象者の顔画像を抽出できる適切な画像を撮像できる撮像方向に容易で、かつ、正確に調整することが可能となり、結果として、生体情報認識装置２１での顔画像による照合処理の照合精度を向上させることが可能となる。
【０１２６】
以上においては、メモリ２０７に基準位置登録処理により１種類の基準位置を登録させる例について説明してきたが、複数の基準位置を登録させ、状況により基準位置を切り替えて調整処理を実行するようにしてもよい。
【０１２７】
図２７は、複数の基準位置を登録させ、状況により基準位置を切り替えて、入口カメラ４０の撮像方向を調整する画像処理ユニット４２の構成例を示している。尚、図２７の画像処理ユニット４２においては、図３の画像処理ユニット４２における構成と同様の構成については、同一の符号を付しており、その説明は適宜省略する。図２７における画像処理ユニット４２において、図２の画像処理ユニット４２と異なるのは、登録部２０６、およびメモリ２０７に代えて、ライブラリ登録部３４１、ライブラリメモリ３４２、基準位置選択部３４３、および基準位置メモリ３４４が設けられている点である。
【０１２８】
ライブラリ登録部３４１は、基本的に登録部２０６と同様の機能であるが、ライブラリメモリ３４２に複数の基準位置を登録させる。また、ライブラリ登録部３４１は、中央判定部３４１ａ、登録名管理部３４１ｂ、および重複判定部３４１ｃを備えている。中央判定部３４１ａは、中央判定部２０６ａと同様のものである。登録名管理部３４１ｂは、複数の基準位置の情報を個別に識別する登録名を生成する。重複判定部３４１ｃは、重複する基準位置の有無を判定する。
【０１２９】
基準位置選択部３４３は、動作モードによりライブラリメモリ３４２に登録されている複数の基準位置を選択的に読み出して、基準位置メモリ３４４に記憶させる。基準位置選択部３４３の動作モードは、２種類あり、第１の動作モードは、内蔵するRTC（Real Time Clock）３４３ａで発生される日時の情報に基づいて、ライブラリメモリ３４２より選択的に基準位置を読み出す動作モードであり、第２の動作モードは、調整管理部４４を介して使用者に指定された基準位置をライブラリメモリ３４２より読み出す動作モードである。
【０１３０】
基準位置メモリ３４４は、基本的にメモリ２０７と同様の機能を持つが、記憶される基準位置の情報が、基準位置選択部３４３により読み込まれる基準位置により変化する。
【０１３１】
次に、図２８のフローチャートを参照して、図２７の画像処理ユニット４２によるライブラリ基準位置登録処理について説明する。
【０１３２】
ステップＳ１５１において、ライブラリ登録部３４１は、中央判定部３４１ａを制御して、基準位置登録処理を実行する。尚、この基準位置登録処理については、図４のフローチャートを参照して説明した処理と同様であるので、その説明は省略するものとする。ただし、ここでは、基準位置の情報のみが設定されたのみであり、ライブラリメモリ３４２には登録されておらず、一時的にライブラリ登録部３４１に内蔵された図示せぬメモリに記憶された状態である。
【０１３３】
ステップＳ１５２において、ライブラリ登録部３４１は、基準位置をライブラリとしてライブラリメモリ３４２に登録するか否かを判定する。より具体的には、ライブラリ登録部３４１は、調整管理部４４に対してライブラリとして登録するか否かを使用者に問合せるように要求する。これに応じて、調整管理部４４は、登録した基準位置をライブラリ登録するか否かを問合せる画面を表示部４５に表示する。
【０１３４】
ステップＳ１５２において、操作部４４ａが操作されて、登録された基準位置をライブラリとして登録しないことを示す情報が入力された場合、調整管理部４４は、その旨をライブラリ登録部３４１に通知する。これにより、登録された基準位置が、ライブラリとして登録されないと判定され、処理は、ステップＳ１６１に進む。
【０１３５】
一方、ステップＳ１５２において、操作部４４ａが操作されて、登録された基準位置をライブラリとして登録することを示す情報が入力された場合、調整管理部４４は、登録された基準位置をライブラリとして登録することが要求されていることをライブラリ登録部３４１に通知する。ライブラリ登録部３４１は、登録された基準位置がライブラリとしてライブラリメモリ３４２に登録することが要求されているものとみなし、処理は、ステップＳ１５３に進む。
【０１３６】
ステップＳ１５３において、ライブラリ登録部３４１は、登録名管理部３４１ｂを制御して、基準位置を識別するための登録名を生成させる。登録名は、重複しないように設定する必要があるので、登録名管理部３４１ｂは、例えば、日付と時刻などから登録名を生成する。
【０１３７】
ステップＳ１５４において、ライブラリ登録部３４１は、登録名管理部３４１ｂを制御して、生成された登録名が、ライブラリメモリ３４２に登録された、その他の基準位置の登録名と重複していないかを判定させる。ステップＳ１５４において、重複していると判定された場合、処理は、ステップＳ１５３に戻り、再度別の登録名が生成される。
【０１３８】
一方、ステップＳ１５４において、重複した登録名がないと判定された場合、ステップＳ１５５において、ライブラリ登録部３４１は、ライブラリメモリ３４２に登録されるライブラリが、新規であるか否かを判定する。
【０１３９】
ステップＳ１５５において、新規のライブラリであると判定された場合、ステップＳ１５６において、ライブラリ登録部３４１は、新規のライブラリをライブラリメモリ３４２に登録する。
【０１４０】
ステップＳ１５７において、ライブラリ登録部３４１は、ライブラリメモリ３４２にアクセスし、登録済みのライブラリを選択して読み出す。尚、ステップＳ１５５において、ライブラリ登録が新規ではない場合、ステップＳ１５６の処理はスキップされる。
【０１４１】
ステップＳ１５８において、ライブラリ登録部３４１は、重複判定部３４１ｃを制御して、読み出したライブラリ内に、新規に登録しようとする基準位置と同一の基準位置として登録されているものがあるか否かを判定する。
【０１４２】
ステップＳ１５８において、同一の基準位置として登録されているものがあると判定された場合、ステップＳ１５９において、ライブラリ登録部３４１は、その基準位置の情報が、上書き可能な状態であるか否かを判定する。ステップＳ１５９において、上書き可能であると判定された場合、ステップＳ１６０において、ライブラリ登録部３４１は、ステップＳ１５１の処理で設定された基準位置の情報を登録名管理部３４１ｂにより生成された登録名で、ライブラリメモリ３４２に登録する。
【０１４３】
ステップＳ１６１において、ライブラリ登録部３４１は、調整管理部４４に対して別の基準位置を登録するか否かを問合せる。これに応じて、調整管理部４４は、別の基準位置を登録するか否かを問合せる画面を表示部４５に表示する。ステップＳ１６１において、例えば、操作部４４ａが操作されて、別の基準位置を登録しないことを示す情報が入力された場合、調整管理部４４は、その旨をライブラリ登録部３４１に通知する。この処理により、ライブラリ基準位置登録処理は終了する。
【０１４４】
一方、ステップＳ１６１において、操作部４４ａが操作されて、その他の基準位置を登録する要求があることを示す情報が入力された場合、処理は、ステップＳ１５１に戻る。
【０１４５】
また、ステップＳ１５８において、同一の基準位置がない場合、ステップＳ１５９の処理は、スキップされる。さらに、ステップＳ１５９において、上書きが不可であると判定された場合、ステップＳ１６０の処理がスキップされる。
【０１４６】
以上のような処理により、例えば、図２９で示されるように、ＷＷ月ＷＷ日に登録された基準位置Ｇ１、ＸＸ月ＸＸ日に登録された基準位置Ｇ２、ＹＹ月ＹＹ日に登録された基準位置Ｇ３、ＺＺ月ＺＺ日に登録された基準位置Ｇ４・・・が順次ライブラリメモリ３４２に順次登録される。
【０１４７】
尚、図２７の入口カメラ４０の調整処理は、図３のフローチャートを参照して説明した処理と同様であるので、その説明は省略する。ただし、基準位置メモリ３４４に記憶されている基準位置に応じて、入口カメラ４０の調整は変化することになる。そこで、次に、基準位置選択処理について説明する。上述したように、基準位置選択部３４３の動作は、動作モードにより異なるので、動作モードごとに基準位置選択処理について説明する。
【０１４８】
まず、図３０のフローチャートを参照して、第１の動作モードである、内蔵するRTC（Real Time Clock）３４３ａで発生される日時の情報に基づいて、ライブラリメモリ３４２より選択的に基準位置を読み出す動作モードにおける基準位置選択処理について説明する。
【０１４９】
ステップＳ１８１において、基準位置選択部３４３は、RTC３４３ａの日時を読み出し、今現在が開店時刻であるか否かを判定し、遊技店１の開店時刻となるまで、その処理を繰り返す。ステップＳ１８１において、例えば、今現在の時刻が遊技店１の開店時刻であると判定された場合、ステップＳ１８２において、基準位置選択部３４３は、RTC３４３ａの日時情報のうち、日付の情報を読み出す。
【０１５０】
ステップＳ１８３において、基準位置選択部３４３は、ライブラリメモリ３４２にアクセスし、日付の情報に対応する登録名で登録された基準位置の情報を読み出し、基準位置メモリ３４４に記憶させる。
【０１５１】
すなわち、上述したようにライブラリメモリ３４２に登録されている基準位置は、日付に対応して基準位置を識別する登録名が設定されているので、対応する基準位置を選択的に読み込んで調整処理を実行することができる。
【０１５２】
例えば、遊技店１などで、定期的にイベントなどが開催されていて、イベントごとに人気となる遊技台の機種が異なると、遊技店内における来店者（照合対象者）の動線が変化することがある。すなわち、第１の日程で開催されるイベントが、図３１で示される島設備Ｊ１に設けられた機種に関するものであると、照合対象者Ｈ１は、遊技店の出入口Ｅから入店すると、イベントの対象となっている島設備Ｊ１の方向である照合対象者Ｈ１’の位置の方向に向う傾向が強くなる。また、第２の日程で開催されるイベントが島設備Ｊ２に設けられた機種に関するものであると、図３１で示されるように、照合対象者Ｈ１は、遊技店の出入口Ｅから入店すると、イベントの対象となっている島設備Ｊ２の方向である照合対象者Ｈ１’’の位置の方向に向う傾向が強くなる。
【０１５３】
したがって、以上のような処理により、第１の日程においては、基準位置として照合対象者Ｈ１’の位置を中心として監視できるように、図３１の入口カメラ４０’で示されるように調整し、第２の日程においては、基準位置として照合対象者Ｈ１’’の位置を中心として監視できるように、図３１の入口カメラ４０’’で示されるように調整することが可能となり、イベントの種類に応じて入口カメラ４０の撮像方向を最適な方向に切り替えて設定することが可能となる。
【０１５４】
尚、以上においては、基準位置の登録名を日付に対応付けて付してきたが、例えば、イベント名などを付することにより、イベント名に対応付けて切り替えるようにしてもよいし、切り替えるべき対象に合わせて登録名を変化させ、様々な条件で基準位置を切り替えるようにしても良い。
【０１５５】
次に、図３２のフローチャートを参照して、第２の動作モードである、調整管理部４４を介して使用者に指定された基準位置をライブラリメモリ３４２より読み出す動作モードにおける基準位置選択処理について説明する。
【０１５６】
ステップＳ１９１において、基準位置選択部３４３は、基準位置の選択処理が指示されたか否かを判定し、指示されるまで、その処理を繰り返す。ステップＳ１９１において、例えば、調整管理部４４の操作部４４ａが操作されて、基準位置の選択処理が指示された場合、ステップＳ１９２において、基準位置選択部３４３は、ライブラリメモリ３４２にアクセスし、登録されている全ての基準位置の情報を読み出し、調整管理部４４に供給する。調整管理部４４は、供給されてきた基準位置の情報をライブラリリストとして、例えば、図３３で示されるように、表示部４５に表示し、いずれかの基準位置を選択するように促す。
【０１５７】
すなわち、図３３においては、表示部４５に表示されたライブラリリストの表示例が示されており、基準位置Ｇ１１乃至Ｇ１９が表示され、各基準位置Ｇ１１乃至Ｇ１９の下にはそれぞれの登録名が表示されている。各基準位置Ｇ１１乃至Ｇ１９においては、入口カメラ４０により撮像される画像上の基準位置が十字状のマークで表示されており、視覚的に画像内の基準位置が認識しやすく表示されている。
【０１５８】
ステップＳ１９３において、調整管理部４４は、操作部４４ａが操作されて、いずれかの基準位置が選択されたか否かを判定する。ステップＳ１９３において、選択されない場合、処理は、ステップＳ１９２に戻る。一方、ステップＳ１９３において、例えば、図３３におけるカーソルＫが操作部４４ａにより操作されることによりいずれかの基準位置が選択されると、ステップＳ１９４において、調整管理部４４は、選択された基準位置が選択されたことを認識させるように、図示せぬ太枠表示させて表示部４５に表示させる。
【０１５９】
ステップＳ１９５において、調整管理部４４は、操作部４４ａが操作されて、選択された基準位置が決定であるか否かを判定し、例えば、決定ではない場合、処理は、ステップＳ１９２に戻る。すなわち、いずれかの基準位置が選択され、最終決定が指示されるまで、ステップＳ１９２乃至Ｓ１９５の処理が繰り返される。
【０１６０】
そして、ステップＳ１９５において、操作部４４ａが操作されて、選択された基準位置が最終決定であると判定された場合、ステップＳ１９６において、調整管理部４４は、最終決定された基準位置の登録名を基準位置選択部３４３に通知する。そして、基準位置選択部３４３は、ライブラリメモリ３４２にアクセスし、調整管理部４４より通知された登録名で登録された基準位置の情報を読み出し、基準位置メモリ３４４に記憶させる。
【０１６１】
以上の処理により、ライブラリメモリ３４２に登録されている複数の基準位置を視覚的に認識しやすく表示し、選択させることで、使用者により任意に基準位置を選択的に読み込んで調整処理を実行することができる。このため、使用者の感覚で、入口カメラ４０を様々な撮像方向に設定することが可能となり、結果として、生体情報認識装置２１での顔画像による照合処理の照合精度を向上させることが可能となる。
【０１６２】
尚、以上においては、ダミー人形を用いて顔画像が検出される位置に基づいて、基準位置を複数に登録し、切り替えて調整処理に使用する例について説明してきたが、当然のことながら、人為的に設定されたマーカやエッジ探索により検出されるマーカを用いて設定される基準位置を複数に登録し、切り替えて調整処理を実行するようにしてもよい。
【０１６３】
また、以上においては、入口カメラ４０の撮像方向を調整する例について説明してきたが、同様の手法により、店内カメラ４１の撮像方向も設定することが可能である。さらには、照合に必要とされる画像を撮像するカメラであれば、照合対象は人物の顔画像に限ったものではなく、例えば、所定のゲートを通過する車両の画像による照合を行うような技術において、画像を撮像するカメラの撮像方向の調整処理に使用するようにしてもよい。
【０１６４】
本発明によれば、照合に必要とされる照合対象を含んだ画像を適切に撮像できるように、容易で、かつ、正確にカメラを調整することが可能となり、画像による照合精度を向上させることが可能となる。
【０１６５】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１６６】
図３４は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１６７】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１６８】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１６９】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１７０】
また、本明細書において、システムとは、複数の装置により構成される装置全体を表すものである。
【図面の簡単な説明】
【０１７１】
【図１】本発明を適用した監視システムの一実施の形態の構成を示す図である。
【図２】図１の入口カメラおよび店内カメラの設置例を示す図である。
【図３】図１の入口カメラ、店内カメラ、画像処理ユニット、およびコントローラの構成例を説明する図である。
【図４】図３の画像処理ユニットによる基準位置登録処理を説明するフローチャートである。
【図５】図３の画像処理ユニットによる基準位置登録処理を説明する図である。
【図６】図３の画像処理ユニットによる基準位置登録処理を説明する図である。
【図７】図３の画像処理ユニットによる基準位置登録処理を説明する図である。
【図８】図３の画像処理ユニットによる基準位置登録処理を説明する図である。
【図９】図３の画像処理ユニットによる調整処理を説明するフローチャートである。
【図１０】図３の画像処理ユニットによる調整処理を説明する図である。
【図１１】図３の画像処理ユニットによる調整処理を説明する図である。
【図１２】図３の画像処理ユニットによる調整処理を説明する図である。
【図１３】図３の画像処理ユニットによる調整処理を説明する図である。
【図１４】図３の画像処理ユニットによる調整処理を説明する図である。
【図１５】図１の入口カメラ、店内カメラ、画像処理ユニット、およびコントローラのその他の構成例を説明する図である。
【図１６】図１５の画像処理ユニットによる基準位置登録処理を説明するフローチャートである。
【図１７】図１５の画像処理ユニットによる基準位置登録処理を説明する図である。
【図１８】図１５の画像処理ユニットによる基準位置登録処理を説明する図である。
【図１９】図１５の画像処理ユニットによる調整処理を説明するフローチャートである。
【図２０】図１５の画像処理ユニットによる調整処理を説明する図である。
【図２１】図１５の画像処理ユニットによる調整処理を説明する図である。
【図２２】図１の入口カメラ、店内カメラ、画像処理ユニット、およびコントローラのさらにその他の構成例を説明する図である。
【図２３】図２２の画像処理ユニットによる基準位置登録処理を説明するフローチャートである。
【図２４】図２２の画像処理ユニットによる基準位置登録処理を説明する図である。
【図２５】図２２の画像処理ユニットによる調整処理を説明するフローチャートである。
【図２６】図２２の画像処理ユニットによる調整処理を説明するフローチャートである。
【図２７】図１の入口カメラ、店内カメラ、画像処理ユニット、およびコントローラのさらにその他の構成例を説明する図である。
【図２８】図２７の画像処理ユニットによるライブラリ基準位置登録処理を説明するフローチャートである。
【図２９】図２７の画像処理ユニットによるライブラリ基準位置登録処理を説明する図である。
【図３０】図２７の画像処理ユニットによる基準位置選択処理を説明するフローチャートである。
【図３１】図２７の画像処理ユニットによる基準位置選択処理を説明する図である。
【図３２】図２７の画像処理ユニットによるその他の基準位置選択処理を説明するフローチャートである。
【図３３】図２７の画像処理ユニットによるその他の基準位置選択処理を説明するフローチャートである。
【図３４】パーソナルコンピュータの構成例を説明する図である。
【符号の説明】
【０１７２】
１，１−１乃至１−ｎ  遊技店
２  生体情報管理センタ
３  生体情報管理データベース
４  第３者遊技店管理センタ
５  第３者遊技店管理データベース
６  生体情報管理バス
７  第３者遊技店管理バス
８，９  公衆通信回線網
２１  生体情報認識装置
２２  生体情報データベース
２４  遊技店管理装置
２６  遊技台管理データベース
２７  媒体貸出管理装置
２９  媒体貸出管理データベース
３０  遊技店管理情報バス
３１  生体情報バス
３３  精算販売機
３４  貸出機
３５  計数機
３６，３６−１乃至３６−ｍ  遊技台
３７，３７−１乃至３７−ｍ  遊技台周辺端末
３８，３８−１乃至３８−ｍ  カメラ
３９，３９−１乃至３９−ｍ  画像処理ユニット
４０，４０−１乃至４０−ｐ  入口カメラ
４１，４１−１乃至４１−ｐ  店内カメラ
４２，４２−１乃至４２−ｑ  画像処理ユニット
４３，４３−１乃至４３−（ｐ＋ｑ）  コントローラ
４４  調整管理部
【図１】
2009094870.tif 000003
【図２】
2009094870.tif 000004
【図３】
2009094870.tif 000005
【図４】
2009094870.tif 000006
【図５】
2009094870.tif 000007
【図６】
2009094870.tif 000008
【図７】
2009094870.tif 000009
【図８】
2009094870.tif 000010
【図９】
2009094870.tif 000011
【図１０】
2009094870.tif 000012
【図１１】
2009094870.tif 000013
【図１２】
2009094870.tif 000014
【図１３】
2009094870.tif 000015
【図１４】
2009094870.tif 000016
【図１５】
2009094870.tif 000017
【図１６】
2009094870.tif 000018
【図１７】
2009094870.tif 000019
【図１８】
2009094870.tif 000020
【図１９】
2009094870.tif 000021
【図２０】
2009094870.tif 000022
【図２１】
2009094870.tif 000023
【図２２】
2009094870.tif 000024
【図２３】
2009094870.tif 000025
【図２４】
2009094870.tif 000026
【図２５】
2009094870.tif 000027
【図２６】
2009094870.tif 000028
【図２７】
2009094870.tif 000029
【図２８】
2009094870.tif 000030
【図２９】
2009094870.tif 000031
【図３０】
2009094870.tif 000032
【図３１】
2009094870.tif 000033
【図３２】
2009094870.tif 000034
【図３３】
2009094870.tif 000035
【図３４】
2009094870.tif 000036